(57)【要約】【課題】ケース内壁と回路基板周縁部との間隔を小さくできて、ケースの小型化が図れ、かつ回路基板に加工を施すことなく絶縁カバーの取付、位置決めを簡単に行えるようにする。【解決手段】火災検出部と、火災検出部に電源を供給するための電機部品が実装された電源回路基板２０と、電源回路基板２０を収納する基板収納部１１を有するケース１と、電源回路基板２０の周縁部をその表裏面側より挾持可能な溝状の係止部３０ｃを有する可撓性絶縁カバー３０と設け、電源回路基板２０に加工を施すことなく、かつリブ等の位置決め手段を必要とせずに、可撓性絶縁カバー３０に、電源回路基板２０に対する取付、位置決め機能を持たせることができるようにする。【選択図】図１
2009098846.tif 000002
【特許請求の範囲】
【請求項１】
火災検出部と、該火災検出部に電源を供給するための電機部品が実装された電源回路基板と、該電源回路基板を収納する基板収納部を有するケースとを備えた火災感知器において、
前記電源回路基板の周縁部をその表裏面側より挾持可能な溝状の係止部を有する可撓性絶縁カバーを設けたことを特徴とする火災感知器。
【請求項２】
前記電源回路基板は、多角形状に形成されるものであって、前記可撓性絶縁カバーにおける溝状の係止部を、前記電源回路基板の多角形状を形成する各辺のうち少なくとも交差する方向に延びる２つの辺に沿う部分に設けたことを特徴とする請求項１記載の火災感知器。
【請求項３】
前記可撓性絶縁カバーにおける係止部の溝幅寸法を、前記電源回路基板の肉厚寸法よりも小さくしたことを特徴とする請求項１又は請求項２記載の火災感知器。
【請求項４】
前記可撓性絶縁カバーに、前記電源回路基板におけるカバー不要部に向け延出する取付片部を設け、止着部材で該取付片部と前記電源回路基板とを固定したことを特徴とする請求項１乃至請求項３のいずれかに記載の火災感知器。
【発明の詳細な説明】
【技術分野】
【０００１】
本発明は、火災検出部に電源を供給するための電機部品が実装された電源回路基板をケース内に取り付けた火災感知器に係り、より詳しくは電源回路基板上の電機部品を保護する絶縁カバーの取付構造に関するものである。
【背景技術】
【０００２】
従来より、ケース内部に配設された回路基板上に絶縁カバーを設けて、回路基板に実装された素子を絶縁カバーによって静電気等から保護するようにしたものは知られている。
【０００３】
このようなものにおいて、回路基板は矩形状に形成され、ケース内部に立設されたリブに一辺を当接させることで位置決めされ、他辺側は、ケース内部に立設されたボス上に載置されて、ボスのねじ穴に螺合するねじにより止着されることで、固定されるようになっている。
【０００４】
絶縁カバーの取付は、回路基板の一辺側に嵌合溝を設けるとともに、絶縁カバーに前記嵌合溝に嵌入可能な突起を設けて、突起を嵌合溝に係合させることで、絶縁カバーと回路基板が組み付けられるようになっている。そして、回路基板に組み付けられた絶縁カバーは、前記ねじによって回路基板と共に前記ボスに止着されるようになっている（例えば、特許文献１参照）。
【０００５】
【特許文献１】特開２００２−２６１４６３号公報（図１）
【発明の開示】
【発明が解決しようとする課題】
【０００６】
しかしながら、回路基板をケース内部に立設されたリブに一辺を当接させることで位置決めするものにあっては、少なくとも回路基板の位置決め側の辺とケース内壁との間に、リブ設置用の大きなスペースを確保する必要があり、ケースの小型化が図れない。
【０００７】
また、前述のように回路基板に絶縁カバー位置決め用の嵌合溝を加工したものにあっては、その部分に回路を形成できず、回路設計上の制約を受ける。
【０００８】
本発明の技術的課題は、ケース内壁と回路基板周縁部との間隔を小さくできて、ケースの小型化が図れ、かつ回路基板に加工を施すことなく絶縁カバーの取付、位置決めを簡単に行えるようにすることにある。
【課題を解決するための手段】
【０００９】
本発明に係る火災感知器は、下記の構成からなるものである。すなわち、火災検出部と、この火災検出部に電源を供給するための電機部品が実装された電源回路基板と、この電源回路基板を収納する基板収納部を有するケースとを備えた火災感知器において、電源回路基板の周縁部をその表裏面側より挾持可能な溝状の係止部を有する可撓性絶縁カバーを設けたものである。
【００１０】
また、電源回路基板は、多角形状に形成されるものであって、可撓性絶縁カバーにおける溝状の係止部を、電源回路基板の多角形状を形成する各辺のうち少なくとも交差する方向に延びる２つの辺に沿う部分に設けたものである。
【００１１】
また、可撓性絶縁カバーにおける係止部の溝幅寸法を、電源回路基板の肉厚寸法よりも小さくしたものである。
【００１２】
また、可撓性絶縁カバーに、電源回路基板におけるカバー不要部に向け延出する取付片部を設け、止着部材で取付片部と電源回路基板とを固定したものである。
【発明の効果】
【００１３】
本発明に係る火災感知器においては、可撓性絶縁カバーに電源回路基板の周縁部をその表裏面側より挾持可能な溝状の係止部を設けているので、電源回路基板に加工を施すことなく、かつリブ等の位置決め手段を必要とせずに、可撓性絶縁カバーに電源回路基板に対する取付、位置決め機能を持たせることができる。このため、電源回路基板においては回路設計上の制約を受けず、ケースにおいては位置決め用のリブが不要となって小型化が図れる。また、内部結露による水滴が発生しても、電源回路基板の周縁部が可撓性絶縁カバーの溝状の係止部で囲まれている部位は、水滴等が電機部品実装面に回り込むことがなく、さらに絶縁性も確保されるので、ケース内壁に当接状態に設置することも可能となり、より一層ケース内壁と電源回路基板周縁部との間隔を小さくできて、ケースの小型化が図れる。
【００１４】
また、電源回路基板は、多角形状に形成されるものであって、可撓性絶縁カバーにおける溝状の係止部を、電源回路基板の多角形状を形成する各辺のうち少なくとも交差する方向に延びる２つの辺に沿う部分に設けているので、角度を有する複数（２つ）の基準辺が得られ、可撓性絶縁カバーの電源回路基板に対する取付、位置決めを簡単かつ確実に行うことができる。
【００１５】
また、可撓性絶縁カバーにおける係止部の溝幅寸法を、電源回路基板の肉厚寸法よりも小さくしているので、係止部による電源回路基板周縁部の挾持機能を安定して行わせることができる。
【００１６】
また、可撓性絶縁カバーに、電源回路基板におけるカバー不要部に向け延出する取付片部を設け、止着部材で取付片部と電源回路基板とを固定しているので、可撓性絶縁カバーと電源回路基板とのアッセンブリ化が可能となり、これらの組付作業が容易となる。
【発明を実施するための最良の形態】
【００１７】
実施の形態１．
図１は本発明の実施の形態１に係る火災感知器の電源回路基板と可撓性絶縁カバーとの関係を示す分解斜視図、図２はその電源回路基板と可撓性絶縁カバーとを組み付けた状態を示す斜視図、図３はその電源回路基板と可撓性絶縁カバーの組立体が収納されたケースの外観を示す斜視図、図４はそのケースを開いた状態で示す斜視図、図５はそのケースを開いた状態で示す平面図、図６は図５のＡ−Ａ線矢視断面図、図７は図６のＢ部拡大断面図である。
【００１８】
本実施形態の火災感知器は、図３乃至図５のようにケース１が、前面が開口する基板収納ケース１Ａと、基板収納ケース１Ａにヒンジ２により結合されて基板収納ケース１Ａの前面開口を開閉自在に閉塞する火災検出部ケース１Ｂとから構成され、火災監視時にはこれらが四隅をねじ３によって互いに固定されるようになっている。
【００１９】
これをさらに詳述すると、基板収納ケース１Ａは、基板収納部１１が、図５のように平面的に見て多角形状に形成されており、この基板収納部１１内に、同じ多角形状に形成されて複数の端子台２１が実装された電源回路基板２０が収納されている。
【００２０】
火災検出部ケース１Ｂ内には、図示しないセンサ基板が収納されており、このセンサ基板と電源回路基板２０とがケーブル４により電気的に接続されるようになっている。
【００２１】
電源回路基板２０は、基板収納ケース１Ａの基板収納部１１内に前面開口より挿入され、基板収納ケース１Ａの奥壁の四隅に形成されているねじ穴付きボス５（図６）に突き当てることで、奥行き方向の位置決めがなされ、ボス５のねじ穴に螺合するねじ６（図５）によって四隅を基板収納ケース１Ａに固定されるようになっている。
【００２２】
電源回路基板２０には、基板収納部１１内で結線のために露出させる必要のある端子台２１の他に、結線作業時に手で触れられたくない電機部品（図示せず）が実装されているため、これら電機部品を保護する可撓性絶縁カバー３０が取り付けられている。
【００２３】
可撓性絶縁カバー３０は、図１，２，４〜７のように電源回路基板２０の直交する方向に延びる２つの辺２０ａ，２０ｂに沿うようにかつ電源回路基板２０の面に対して離れる方向に凹陥させて形成した電機部品保護部３０ａと、電源回路基板２０上の電機部品等が存在しないカバー不要部に向け延出する取付片部３０ｂと、電源回路基板２０の辺２０ａ側の周縁部をその表裏面側より挾持可能に、電機部品保護部３０ａから連続させて形成した溝状の係止部３０ｃとから成り、係止部３０ｃの溝幅寸法が、電源回路基板の肉厚寸法よりも小さくなるように構成されている。また、電源回路基板２０のカバー不要部には、２箇所に穴２０ｃが形成されているとともに、可撓性絶縁カバー３０の取付片部３０ｂの穴２０ｃに対応する部位にも穴３０ｄが形成され、これら穴２０ｃ，３０ｄに挿通されるフック機能を持つ２つの止着部材７で、電源回路基板２０と可撓性絶縁カバー３０の取付片部３０ｂとを互いに固定できるようになっている（図１，２）。なお、図４中の符号８は外部配線の引き込み穴を示している。
【００２４】
次に、本実施形態の火災感知器の組付手順について説明する。なお、ここでは火災検出部ケース１Ｂ内に既にセンサ基板が取り付けられて、ケーブル４が引き出されているものとする。まず、電源回路基板２０の辺２０ａ側の周縁部に可撓性絶縁カバー３０の溝状の係止部３０ｃを引っ掛け、係止部３０ｃによって電源回路基板２０の辺２０ａ側の周縁部を表裏面側より挾持させることで、電源回路基板２０と可撓性絶縁カバー３０とを組み付ける（図１）。次いで、電源回路基板２０の穴２０ｃと可撓性絶縁カバー３０の穴３０ｄの位置合わせを行い、止着部材７で、電源回路基板２０と可撓性絶縁カバー３０の取付片部３０ｂとを互いに固定する（図２）。これにより、結線作業が必要な端子台２１は露出され、電機部品は可撓性絶縁カバー３０にて保護される。そして、電源回路基板２０と可撓性絶縁カバー３０とがアッセンブリ化され、以後、これらを一体のものとして扱うことができる。
【００２５】
次いで、電源回路基板２０と可撓性絶縁カバー３０との組立体（以下、これを「カバー付き基板」という）を、端子台２１を表側にして基板収納ケース１Ａの基板収納部１１内に前面開口より挿入し、基板収納ケース１Ａの奥壁の四隅に形成されているねじ穴付きボス５（図６）に突き当てて、奥行き方向の位置決めを行う。そして、ボス５のねじ穴に螺合するねじ６（図５）によって電源回路基板２０の四隅を基板収納ケース１Ａに固定することで、カバー付き基板を基板収納ケース１Ａ内に固定する。なお、センサ基板と電源回路基板２０とを電気的に接続するケーブル４にはコネクタが付いているため、カバー付き基板を基板収納ケース１Ａに収容する前でも、またカバー付き基板を基板収納ケース１Ａに固定してからでも、簡単に接続することができる。
【００２６】
次に、引き込み穴８より外部配線を引き込み、結線した後、基板収納ケース１Ａと火災検出部ケース１Ｂとをねじ３によって互いに固定し、設置すべき場所に取り付ける。
【００２７】
このように、本実施形態の火災感知器においては、可撓性絶縁カバー３０に電源回路基板２０の周縁部をその表裏面側より挾持可能な溝状の係止部３０ｃを設けているので、電源回路基板２０に加工を施すことなく、かつリブ等の位置決め手段を必要とせずに、可撓性絶縁カバー３０に、電源回路基板２０に対する取付、位置決め機能を持たせることができる。このため、電源回路基板２０においては回路設計上の制約を受けず、ケース１においては電源回路基板２０周辺に位置決め用のリブが不要となって小型化が図れる。また、内部結露による水滴が発生しても、電源回路基板２０の周縁部において可撓性絶縁カバー３０の溝状の係止部３０ｃで囲まれている部位は、水滴等が電機部品実装面に回り込むことがなく、さらに絶縁性も確保されるので、ケース内壁に当接状態に設置することも可能となる。このため、より一層ケース内壁と電源回路基板周縁部との間隔を小さくできて、ケース１の小型化が図れる。
【００２８】
また、ケース１の基板収納部１１を、平面的に見て多角形状に形成し、電源回路基板２０を、ケース１の基板収納部１１の形状に沿う多角形状に形成しているので、全周に亘ってケース内壁と電源回路基板周縁部との間隔を小さくでき、ケースの更なる小型化が図れる。
【００２９】
また、可撓性絶縁カバー３０における係止部３０ｃの溝幅寸法を、電源回路基板２０の肉厚寸法よりも小さくしているので、係止部３０ｃによる電源回路基板周縁部の挾持機能を安定して行わせることができる。
【００３０】
また、可撓性絶縁カバー３０に、電源回路基板２０におけるカバー不要部に向け延出する取付片部３０ｂを設け、止着部材７で取付片部と電源回路基板とを固定しているので、可撓性絶縁カバー３０と電源回路基板２０とのアッセンブリ化が可能となり、これらの組付作業が容易となる。ここでは、止着部材７を２個設けているが、止着部材７の数と固定位置は適宜に決定される。なお、止着部材７を使用しなくても、可撓性絶縁カバー３０の係止部３０ｃの溝長さ寸法および溝幅寸法を最適化することで、同じ効果が得られる。
【００３１】
実施の形態２．
図８は本発明の実施の形態２に係る火災感知器の電源回路基板と可撓性絶縁カバーとの関係を示す分解斜視図、図９はその電源回路基板と可撓性絶縁カバーとを組み付けた状態を示す斜視図であり、各図中、前述の実施の形態１の図１及び図２と同一部分には同一符号を付してある。
【００３２】
本実施形態の火災感知器は、図８及び図９のように可撓性絶縁カバー３０Ａにおける溝状の係止部３０ｃ，３０ｅを、電源回路基板の多角形状を形成する各辺のうち少なくとも交差（ここでは直交）する方向に延びる２つの辺２０ａ，２０ｂに沿う部分に設けた点が前述の実施の形態１のものと異なっており、それ以外の構成は実施の形態１のものと同様である。
【００３３】
本実施形態の火災感知器においては、可撓性絶縁カバー３０Ａにおける溝状の係止部３０ｃ，３０ｅを、電源回路基板２０の多角形状を形成する各辺のうち少なくとも交差する方向に延びる２つの辺２０ａ，２０ｂに沿う部分に設けているので、前述の実施の形態１と同様の作用、効果に加え、角度を有する複数（ここでは２つ）の基準辺が得られ、可撓性絶縁カバー３０Ａの電源回路基板２０に対する取付、位置決めを簡単かつ確実に行うことができ、これらの組付作業が更に容易となった。
【図面の簡単な説明】
【００３４】
【図１】本発明の実施の形態１に係る火災感知器の電源回路基板と可撓性絶縁カバーとの関係を示す分解斜視図である。
【図２】本発明の実施の形態１に係る火災感知器の電源回路基板と可撓性絶縁カバーとを組み付けた状態を示す斜視図である。
【図３】本発明の実施の形態１に係る火災感知器の電源回路基板と可撓性絶縁カバーの組立体が収納されたケースの外観を示す斜視図である。
【図４】本発明の実施の形態１に係る火災感知器のケースを開いた状態で示す斜視図である。
【図５】本発明の実施の形態１に係る火災感知器のケースを開いた状態で示す平面図である。
【図６】図５のＡ−Ａ線矢視断面図である。
【図７】図６のＢ部拡大断面図である。
【図８】本発明の実施の形態２に係る火災感知器の電源回路基板と可撓性絶縁カバーとの関係を示す分解斜視図である。
【図９】本発明の実施の形態２に係る火災感知器の電源回路基板と可撓性絶縁カバーとを組み付けた状態を示す斜視図である。
【符号の説明】
【００３５】
１  ケース
１Ａ  基板収納ケース
１Ｂ  火災検出部ケース
７  止着部材
１１  基板収納部
２０  電源回路基板
２０ａ，２０ｂ  交差する方向に延びる辺
３０，３０Ａ  可撓性絶縁カバー
３０ｂ  取付片部
３０ｃ，３０ｅ  溝状の係止部
【図１】
2009098846.tif 000003
【図２】
2009098846.tif 000004
【図３】
2009098846.tif 000005
【図４】
2009098846.tif 000006
【図５】
2009098846.tif 000007
【図６】
2009098846.tif 000008
【図７】
2009098846.tif 000009
【図８】
2009098846.tif 000010
【図９】
2009098846.tif 000011